【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
ネットワークを介して外部装置から送信された印刷要求に基づいて画像データを生成し、生成した前記画像データを送信する画像処理装置と、ネットワークを介して前記画像処理装置から送信された前記画像データに基づいて印刷を行う画像形成装置と、を備える画像形成システムであって、
前記画像処理装置は、
前記画像形成装置から前記画像形成装置の情報を取得する取得手段と、
前記取得手段によって取得された前記画像形成装置の情報を記憶する記憶手段と、
前記外部装置からの要求に従って前記外部装置に前記記憶手段によって記憶された前記画像形成装置の情報を送信する送信手段と、
所定の条件を満たしたことに基づいて前記画像処理装置の状態を第１電力状態から前記第１電力状態より省電力の第２電力状態に移行する移行手段と、
所定の条件を満たしたことに基づいて前記画像処理装置の状態を前記第２電力状態から前記第１電力状態に復帰させる復帰手段と、を有し、
前記復帰手段が前記画像処理装置の状態を前記第２電力状態から前記第１電力状態に復帰させたときに、前記取得手段は、前記画像形成装置から前記画像形成装置の最新の情報を取得し、前記記憶手段は、前記最新の情報で前記情報を更新する、ことを特徴とする画像形成システム。
【請求項２】
前記復帰手段は、前記外部装置からの前記要求に従って前記画像処理装置を前記第２電力状態から前記第１電力状態に復帰させる、ことを特徴とする請求項１に記載の画像形成システム。
【請求項３】
前記復帰手段が前記外部装置からの前記要求に従って前記画像処理装置を前記第２電力状態から前記第１電力状態に復帰させたときに、前記送信手段は、前記記憶手段によって更新された前記最新の情報を前記外部装置に送信する、ことを特徴とする請求項２に記載の画像形成システム。
【請求項４】
前記取得手段は、前記移行手段が前記画像処理装置を前記第１電力状態から前記第２電力状態に移行する前に、前記画像形成装置から前記画像形成装置の情報を取得する、ことを特徴とする請求項１〜３の何れか１項に記載の画像形成システム。
【請求項５】
前記画像処理装置は、前記記憶手段が前記取得手段によって取得された前記画像形成装置の前記情報を記憶したときに前記情報の取得の完了を前記画像形成装置に通知する通知手段をさらに有する、ことを特徴とする請求項１〜４の何れか１項に記載の画像形成システム。
【請求項６】
前記取得手段は、前記画像処理装置が前記第１電力状態の間は、前記画像形成装置から前記画像形成装置の情報を取得しない、ことを特徴とする請求項１〜５の何れか１項に記載の画像形成システム。
【請求項７】
前記取得手段は、前記画像処理装置が前記第１電力状態の間に、定期的に前記画像形成装置から前記画像形成装置の情報を取得する、ことを特徴とする請求項１〜６の何れか１項に記載の画像形成システム。
【請求項８】
前記画像処理装置は、前記画像処理装置が前記第２電力状態のままで前記外部装置からの前記要求とは異なる他の要求に応答する代理応答手段、をさらに有する、ことを特徴とする請求項１〜７の何れか１項に記載の画像形成システム。
【請求項９】
前記他の要求は、Address Resolution Protocol (ARP)に従う要求、Simple Network Management Protocol (SNMP)に従う要求、又は、Internet Control Message Protocol (ICMP)に従う要求である、ことを特徴とする請求項１〜８の何れか１項に記載の画像形成システム。
【請求項１０】
前記画像形成装置の前記情報は、
前記画像形成装置に接続されているフィニッシャ装置のタイプ、前記フィニッシャ装置の設定値、前記画像形成装置のシート格納部に格納されているシートのサイズ又はタイプ、前記シート格納部に格納されているシートの残量、前記画像形成装置のトナー残量、前記画像形成装置の位置、及び、シートの排出情報、の少なくとも１つを含む、ことを特徴とする請求項１〜９の何れか１項に記載の画像形成システム。
【請求項１１】
前記取得手段は、前記復帰手段が前記画像処理装置を前記第２電力状態から前記第１電力状態に復帰させたときに前記画像形成装置に取得要求を送信し、そして、前記取得要求の応答として前記画像形成装置から前記画像形成装置の前記最新の情報を取得する、ことを特徴とする請求項１〜１０の何れか１項に記載の画像形成システム。
【請求項１２】
前記取得手段は、前記復帰手段が前記画像処理装置を前記第２電力状態から前記第１電力状態に復帰させるときに、前記画像形成装置にスリープ復帰通知を送信し、前記スリープ復帰通知の応答として前記画像形成装置から前記画像形成装置の前記最新の情報を取得する、ことを特徴とする請求項１〜１０の何れか1項に記載の画像形成システム。
【請求項１３】
ネットワークを介して外部装置から送信された印刷要求に基づいて画像データを生成し、前記画像データに基づいてシートに画像を形成する画像形成装置に前記画像データを送信する画像処理装置であって、
前記画像形成装置から前記画像形成装置の情報を取得する取得手段と、
前記取得手段によって取得された前記画像形成装置の情報を記憶する記憶手段と、
前記外部装置からの要求に従って前記外部装置に前記記憶手段によって記憶された前記画像形成装置の情報を送信する送信手段と、
所定の条件を満たしたことに基づいて前記画像処理装置の状態を第１電力状態から前記第１電力状態より省電力の第２電力状態に移行する移行手段と、
所定の条件を満たしたことに基づいて前記画像処理装置の状態を前記第２電力状態から前記第１電力状態に復帰させる復帰手段と、を有し、
前記復帰手段が前記画像処理装置の状態を前記第２電力状態から前記第１電力状態に復帰させたときに、前記取得手段は、前記画像形成装置から前記画像形成装置の最新の情報を取得し、前記記憶手段は、前記最新の情報で前記情報を更新する、ことを特徴とする画像処理装置。
【請求項１４】
前記復帰手段は、前記外部装置からの前記要求に従って前記画像処理装置を前記第２電力状態から前記第１電力状態に復帰させる、ことを特徴とする請求項１３に記載の画像処理装置。
【請求項１５】
前記復帰手段が前記外部装置からの前記要求に従って前記画像処理装置を前記第２電力状態から前記第１電力状態に復帰させたときに、前記送信手段は、前記記憶手段によって更新された前記最新の情報を前記外部装置に送信する、ことを特徴とする請求項１４に記載の画像処理装置。
【請求項１６】
前記取得手段は、前記移行手段が前記画像処理装置を前記第１電力状態から前記第２電力状態に移行する前に、前記画像形成装置から前記画像形成装置の情報を取得する、ことを特徴とする請求項１３〜１５の何れか１項に記載の画像処理装置。
【請求項１７】
前記画像処理装置は、前記記憶手段が前記取得手段によって取得された前記画像形成装置の前記情報を記憶したときに前記情報の取得の完了を前記画像形成装置に通知する通知手段をさらに備える、ことを特徴とする請求項１３〜１６の何れか１項に記載の画像処理装置。
【請求項１８】
前記取得手段は、前記画像処理装置が前記第１電力状態の間は、前記画像形成装置から前記画像形成装置の情報を取得しない、ことを特徴とする請求項１３〜１７の何れか１項に記載の画像処理装置。
【請求項１９】
前記取得手段は、前記画像処理装置が前記第１電力状態の間に、定期的に前記画像形成装置から前記画像形成装置の情報を取得する、ことを特徴とする請求項１３〜１８の何れか１項に記載の画像処理装置。
【請求項２０】
前記画像処理装置は、前記画像処理装置が前記第２電力状態のままで前記外部装置からの前記要求とは異なる他の要求に応答する代理応答手段、をさらに備える、ことを特徴とする請求項１３〜１９の何れか１項に記載の画像処理装置。
【請求項２１】
前記他の要求は、Address Resolution Protocol (ARP)に従う要求、Simple Network Management Protocol (SNMP)に従う要求、又は、Internet Control Message Protocol (ICMP)に従う要求である、ことを特徴とする請求項１３〜２０の何れか１項に記載の画像処理装置。
【請求項２２】
前記画像形成装置の前記情報は、
前記画像形成装置に接続されているフィニッシャ装置のタイプ、前記フィニッシャ装置の設定値、前記画像形成装置のシート格納部に格納されているシートのサイズ又はタイプ、前記シート格納部に格納されているシートの残量、前記画像形成装置のトナー残量、前記画像形成装置の位置、及び、シートの排出情報、の少なくとも１つを含む、ことを特徴とする請求項１３〜２１の何れか１項に記載の画像処理装置。
【請求項２３】
前記取得手段は、前記復帰手段が前記画像処理装置を前記第２電力状態から前記第１電力状態に復帰させたときに前記画像形成装置に取得要求を送信し、そして、前記取得要求の応答として前記画像形成装置から前記画像形成装置の前記最新の情報を取得する、ことを特徴とする請求項１３〜２２の何れか１項に記載の画像処理装置。
【請求項２４】
ネットワークを介して外部装置から送信された印刷要求に基づいて画像データを生成し、前記画像データに基づいてシートに画像を形成する画像形成装置に前記画像データを送信する画像処理装置の制御方法であって、
前記画像形成装置から前記画像形成装置の情報を取得する第１取得ステップと、
前記第１取得ステップで取得された前記画像形成装置の情報を記憶する記憶ステップと、
前記外部装置からの要求に従って前記外部装置に前記画像形成装置の情報を送信する送信ステップと、
所定の条件を満たしたことに基づいて前記画像処理装置の状態を第１電力状態から前記第１電力状態より省電力の第２電力状態に移行する移行ステップと、
所定の条件を満たしたことに基づいて前記画像処理装置の状態を前記第２電力状態から前記第１電力状態に復帰させる復帰ステップと、
前記復帰ステップが前記画像処理装置の状態を前記第２電力状態から前記第１電力状態に復帰させたときに、前記画像形成装置から前記画像形成装置の最新の情報を取得する第２取得ステップと、
前記第２取得ステップで取得した前記最新の情報で前記情報を更新する更新ステップと、を有することを特徴とする画像処理装置の制御方法。
【手続補正２】
【補正対象書類名】明細書
【補正対象項目名】発明の名称
【補正方法】変更
【補正の内容】
【発明の名称】画像形成システム、画像処理装置及び画像処理装置の制御方法
【手続補正３】
【補正対象書類名】明細書
【補正対象項目名】００１０
【補正方法】変更
【補正の内容】
【００１０】
本発明は、ネットワークを介して外部装置から送信された印刷要求に基づいて画像データを生成し、生成した前記画像データを送信する画像処理装置と、ネットワークを介して前記画像処理装置から送信された前記画像データに基づいて印刷を行う画像形成装置と、を備える画像形成システムであって、前記画像処理装置は、前記画像形成装置から前記画像形成装置の情報を取得する取得手段と、前記取得手段によって取得された前記画像形成装置の情報を記憶する記憶手段と、前記外部装置からの要求に従って前記外部装置に前記記憶手段によって記憶された前記画像形成装置の情報を送信する送信手段と、所定の条件を満たしたことに基づいて前記画像処理装置の状態を第１電力状態から前記第１電力状態より省電力の第２電力状態に移行する移行手段と、所定の条件を満たしたことに基づいて前記画像処理装置の状態を前記第２電力状態から前記第１電力状態に復帰させる復帰手段と、を有し、前記復帰手段が前記画像処理装置の状態を前記第２電力状態から前記第１電力状態に復帰させたときに、前記取得手段は、前記画像形成装置から前記画像形成装置の最新の情報を取得し、前記記憶手段は、前記最新の情報で前記情報を更新する、ことを特徴とする。